(57)【要約】  【課題】可燃性冷媒を用いた業務用冷蔵庫に関し、安価で容易な構成により冷媒漏洩等の異常を検出し、修理の際の効率化を図る。  【解決手段】凝縮温度検出手段２０ａにより検出された冷媒の凝縮温度と外気温度検出手段２１ａにより検出された外気温度との差温から冷媒回路異常と判定する冷媒回路異常判定手段で、凝縮温度と外気温度との差温が所定値以上の場合に低圧側冷媒回路異常と判定する低圧側冷媒回路異常判定手段２２ａと、凝縮温度と外気温度との差温が所定値以下の場合に高圧側冷媒回路異常と判定する高圧側冷媒回路異常判定手段２３ａで冷媒漏洩を検知する。【選択図】図２
2005140409.tif 000002
【特許請求の範囲】
【請求項１】
圧縮機と、凝縮器と、減圧機構と、蒸発器とを機能的に接続し、可燃性冷媒を封入した冷媒回路と、前記凝縮器における冷媒の凝縮温度を検出する凝縮温度検出手段と、外気温度を検出する外気温度検出手段と、前記凝縮温度検出手段により検出された冷媒の凝縮温度と前記外気温度検出手段により検出された外気温度との差温から冷媒回路異常と判定する冷媒回路異常判定手段とを備えたことを特徴とする冷蔵庫。
【請求項２】
冷媒回路異常判定手段は凝縮温度検出手段により検出された冷媒の凝縮温度と外気温度検出手段により検出された外気温度との差温が所定値以上の場合に低圧側冷媒回路異常と判定する低圧側冷媒回路異常判定手段と、凝縮温度と外気温度との差温が所定値以下の場合に高圧側冷媒回路異常と判定する高圧側冷媒回路異常判定手段であることを特徴とする請求項１に記載の冷蔵庫。
【請求項３】
低圧側冷媒回路異常判定手段により低圧側冷媒回路の異常を判定した場合に異常を報知する低圧側冷媒回路異常報知手段と、高圧側冷媒回路異常判定手段により高圧側冷媒回路の異常を判定した場合に異常を報知する高圧側冷媒回路異常報知手段とからなることを特徴とする請求項２に記載の冷蔵庫。
【請求項４】
低圧側冷媒回路異常報知手段と高圧側冷媒回路異常報知手段の異常の報知方法が、それぞれ異なる色の発光手段により構成されることを特徴とする請求項３に記載の冷蔵庫。
【請求項５】
低圧側冷媒回路異常報知手段と高圧側冷媒回路異常報知手段の異常の報知方法が、それぞれ異なる位置に配された発光手段により構成されることを特徴とする請求項３に記載の冷蔵庫。
【請求項６】
蒸発器を除霜する除霜手段を有し、低圧側冷媒回路異常判定手段または高圧側冷媒回路異常判定手段により冷媒回路の異常を判定した場合は圧縮機を連続運転または断続運転し、前記除霜手段による除霜を停止することを特徴とする請求項１または請求項２または請求項３または請求項４または請求項５に記載の冷蔵庫。
【請求項７】
冷凍用の冷媒回路と冷蔵用の冷媒回路を有し、前記冷凍用の冷媒回路の異常を検出した場合は冷凍用圧縮機を連続運転し、前記冷蔵用の冷媒回路の異常を検出した場合は冷蔵用圧縮機を断続運転することを特徴とする請求項６に記載の冷蔵庫。
【請求項８】
庫内の温度を検出する庫内温度検出手段と、音声またはブザー音を出力する音響出力手段を有し、前記冷媒回路の異常時に庫内温度が所定値以上に上昇した場合、「食品を出して下さい」等のメッセージまたはブザー音を出力することを特徴とする請求項１または請求項２または請求項３または請求項４または請求項５または請求項６または請求項７に記載の冷蔵庫。
【請求項９】
冷凍用の冷媒回路と冷蔵用の冷媒回路を有し、異常時にあらかじめ設定した庫内温度は冷蔵室の所定値よりも冷凍室の所定値のほうが低い温度としたことを特徴とする請求項８に記載の冷蔵庫。
【請求項１０】
冷凍用の冷媒回路と冷蔵用の冷媒回路を有し、前記冷凍用冷媒回路の異常を検出する冷凍用冷媒回路異常検出手段と、冷凍用冷媒回路の異常を検出した場合に異常を報知する冷凍用冷媒回路異常報知手段と、前記冷蔵用冷媒回路の異常を検出する冷蔵用冷媒回路異常検出手段と、冷蔵用冷媒回路の異常を判定した場合に異常を報知する冷蔵用冷媒回路異常報知手段とを備えたことを特徴とする冷蔵庫。
【発明の詳細な説明】
【技術分野】
【０００１】
本発明は、可燃性冷媒を封入した冷蔵庫に関するものである。
【背景技術】
【０００２】
近年、可燃性冷媒を封入した冷蔵庫で可燃性冷媒の漏洩対策を施したものとして（例えば、特許文献１参照）がある。
【０００３】
以下、図面を参照しながら上記従来の冷蔵庫を説明する。
【０００４】
図５は、従来の冷蔵庫の冷凍システム図であり、冷媒にプロパン、イソブタン等の可燃性冷媒が用いられた冷媒回路４３を示している。即ち、圧縮機１３から吐出された冷媒は、順番に凝縮器１４、減圧機構１５、蒸発器６を通り、再び圧縮機１３に戻る冷凍サイクルを繰り返すことで、蒸発器６において、周囲の空気からフィンを通して蒸発の潜熱を奪い空気を冷却して冷風とし、冷蔵庫庫内（図示せず）を冷却する。
【０００５】
凝縮器１４を通過する通過風の下流側、または蒸発器６を通過する通過風の下流側には冷媒漏れ検知手段となる可燃性冷媒検知センサー４０、４１がそれぞれ設けられている。
【０００６】
冷凍サイクル運転時において可燃性冷媒検知センサー４０、４１から入力される検知信号に基づき、圧縮機１３と、凝縮器冷却ファン１６を停止し、別途設けられた警報装置をオンするとともに、蒸発器ファン７を停止させる一方、減圧機構１５と蒸発器６との間と、蒸発器６と圧縮機１３との間に設けられ冷媒回路遮断手段となる開閉弁４２、４３を閉とするよう機能する。
【特許文献１】特開平８−１７８４８１号公報
【発明の開示】
【発明が解決しようとする課題】
【０００７】
しかしながら、上記従来の構成では、可燃性冷媒の漏洩による爆発、出火事故防止のため冷媒漏れ検知手段として高価な可燃性冷媒検知センサーを必要とする。
【０００８】
さらに、可燃性冷媒が漏れた直後から、冷蔵庫庫内の温度は上昇し、貯蔵物に悪影響を与えてしまうという課題を有していた。
【０００９】
本発明は上記課題に鑑み、安価で容易な構成により可燃性冷媒の漏洩を検出し、また、冷蔵庫庫内温度の上昇を極力押さえ、貯蔵物の鮮度劣化が少ない冷蔵庫を提供することを目的とする。
【課題を解決するための手段】
【００１０】
本発明の冷蔵庫は、圧縮機と、凝縮器と、減圧機構と、蒸発器とを機能的に接続し、可燃性冷媒を封入した冷媒回路と、前記凝縮器における冷媒の凝縮温度を検出する凝縮温度検出手段と、外気温度を検出する外気温度検出手段と、前記凝縮温度検出手段により検出された冷媒の凝縮温度と前記外気温度検出手段により検出された外気温度との差温から冷媒回路異常と判定する冷媒回路異常判定手段とを備えるものであり、漏れる箇所によって凝縮温度が正常時に比べて高くなったり低くなったり顕著に表れるので、漏洩によって影響を受けない外気温度と比較することで冷媒回路の漏洩を判定することができる。このように比較的安価で容易な構成により冷媒漏洩等の異常を検出することができる。
【発明の効果】
【００１１】
以上説明したように本発明の冷蔵庫は、圧縮機と、凝縮器と、減圧機構と、蒸発器とを機能的に接続し、可燃性冷媒を封入した冷媒回路と、前記凝縮器における冷媒の凝縮温度を検出する凝縮温度検出手段と、外気温度を検出する外気温度検出手段と、前記凝縮温度検出手段により検出された冷媒の凝縮温度と前記外気温度検出手段により検出された外気温度との差温から冷媒回路異常と判定する冷媒回路異常判定手段とを備えたものであるから、凝縮温度と外気温度の差温から冷媒回路の異常を判定するという比較的安価で容易な構成により冷媒漏洩等の異常を検出することができるという効果がある。
【発明を実施するための最良の形態】
【００１２】
本発明の請求項１に記載の発明は、圧縮機と、凝縮器と、減圧機構と、蒸発器とを機能的に接続し、可燃性冷媒を封入した冷媒回路と、前記凝縮器における冷媒の凝縮温度を検出する凝縮温度検出手段と、外気温度を検出する外気温度検出手段と、前記凝縮温度検出手段により検出された冷媒の凝縮温度と前記外気温度検出手段により検出された外気温度との差温から冷媒回路異常と判定する冷媒回路異常判定手段とを備えるものであり、漏れる箇所によって凝縮温度が正常時に比べて高くなったり低くなったり顕著に表れるので、漏洩によって影響を受けない外気温度と比較することで冷媒回路の漏洩を判定することができる。このように比較的安価で容易な構成により冷媒漏洩等の異常を検出することができるという作用を有する。
【００１３】
本発明の請求項２に記載の発明は、請求項１に記載の発明において、冷媒回路異常判定手段は凝縮温度検出手段により検出された冷媒の凝縮温度と外気温度検出手段により検出された外気温度との差温が所定値以上の場合に低圧側冷媒回路異常と判定する低圧側冷媒回路異常判定手段と、凝縮温度と外気温度との差温が所定値以下の場合に高圧側冷媒回路異常と判定する高圧側冷媒回路異常判定手段であるものであり、高圧側配管から冷媒が漏洩した場合は冷媒循環量が低下すると凝縮温度が正常時に比べて低くなり、凝縮温度が外気温度に近づいていく。
【００１４】
また低圧側配管から冷媒が漏洩した場合は、低圧側の圧力は大気圧以下になっていることから空気が進入し、凝縮器に滞留する。このため凝縮温度が正常時と比較して上昇する。このように外気温度との差温から高圧側か低圧側冷媒回路の異常かを判定することができる。このように比較的安価で容易な構成により冷媒漏洩等の異常を検出することができるという作用を有する。
【００１５】
本発明の請求項３に記載の発明は、請求項２に記載の発明において、低圧側冷媒回路異常判定手段により低圧側冷媒回路の異常を判定した場合に異常を報知する低圧側冷媒回路異常報知手段と、高圧側冷媒回路異常判定手段により高圧側冷媒回路の異常を判定した場合に異常を報知する高圧側冷媒回路異常報知手段とを備えるものであるから、監視していなくても異常を音で判断できるので、異常状態を放置することはないという作用を有する。
【００１６】
本発明の請求項４に記載の発明は、請求項３に記載の発明において、低圧側冷媒回路異常報知手段と高圧側冷媒回路異常報知手段の異常の報知方法が、それぞれ異なる色の発光手段により構成されるものであるから、視覚的に異常箇所を判別することができ、また使用環境によっては周りの人に不安感を与えないという作用を有する。
【００１７】
本発明の請求項５に記載の発明は、請求項３に記載の発明において、低圧側冷媒回路異常報知手段と高圧側冷媒回路異常報知手段の異常の報知方法が、それぞれ異なる位置に配された発光手段により構成されるものであるから、異常時の修理の際、低圧側冷媒回路の異常か、高圧側冷媒回路の異常かを瞬時に判断できるという作用を有する。
【００１８】
本発明の請求項６に記載の発明は、蒸発器を除霜する除霜手段を有し、低圧側冷媒回路異常判定手段または高圧側冷媒回路異常判定手段により冷媒回路の異常を判定した場合は前記圧縮機を連続運転または断続運転し、前記除霜手段による除霜を停止することを特徴とするものであるから、修理までの暫くの間、冷蔵庫庫内温度の上昇を極力抑え、貯蔵物の鮮度劣化を少なくできるという作用を有する。
【００１９】
本発明の請求項７に記載の発明は、請求項６に記載の発明において、冷凍用の冷媒回路と冷蔵用の冷媒回路を有し、前記冷凍用の冷媒回路の異常を検出した場合は冷凍用圧縮機を連続運転し、前記冷蔵用の冷媒回路の異常を検出した場合は冷蔵用圧縮機を断続運転することを特徴とするものであるから、修理までの暫くの間、冷凍室、冷蔵室両方の庫内温度の上昇を極力抑えるとともに冷蔵室の庫内温度が過剰に低くならないようにして、貯蔵物の鮮度劣化を少なくできるという作用を有する。
【００２０】
本発明の請求項８に記載の発明は、庫内の温度を検出する庫内温度検出手段と、音声またはブザー音を出力する音響出力手段を有し、前記冷媒回路の異常時に庫内温度が所定値以上に上昇した場合、「食品を出して下さい」等のメッセージまたはブザー音を出力することを特徴とするものであるから、冷蔵庫庫内温度が貯蔵物の鮮度を維持できない温度まで上昇したことを使用者に告知できるという作用を有する。
【００２１】
本発明の請求項９に記載の発明は、請求項８に記載の発明において、冷凍用の冷媒回路と冷蔵用の冷媒回路を有し、異常時にあらかじめ設定した庫内温度は冷蔵室の所定値よりも冷凍室の所定値のほうが低い温度としたものであるから、冷凍室庫内温度または冷蔵室庫内温度が貯蔵物の鮮度を維持できない温度まで上昇したことを使用者に告知できるという作用を有する。
【００２２】
本発明の請求項１０に記載の発明は、冷凍用の冷媒回路と冷蔵用の冷媒回路を有し、前記冷凍用冷媒回路の異常を検出する冷凍用冷媒回路異常検出手段と、冷凍用冷媒回路の異常を検出した場合に異常を報知する冷凍用冷媒回路異常報知手段と、前記冷蔵用冷媒回路の異常を検出する冷蔵用冷媒回路異常検出手段と、冷蔵用冷媒回路の異常を判定した場合に異常を報知する冷蔵用冷媒回路異常報知手段とにより構成されるものであるから、冷媒回路ごとに備えているので、異常冷媒回路を特定できるという作用を有する。
【００２３】
以下、本発明による冷蔵庫の実施の形態について、図面を参照しながら説明する。なお、従来と同一構成については、同一符号を付して詳細な説明を省略する。
【００２４】
（実施の形態１）
図１（ａ）は本発明の実施の形態１による冷蔵庫本体１の正面図、（ｂ）は断面図であり、店舗や厨房でよく使われる業務用タイプの冷蔵庫である。本実施の形態１の冷蔵庫は１室冷凍、３室冷蔵の４枚扉タイプで、向かって右上の室が冷凍室２、残り３室が冷蔵室３の構成となっており、断熱材４により区画されている。冷蔵庫１の上部は機械室５となっている。
【００２５】
冷凍室２は、冷凍用蒸発器６と冷凍用蒸発器ファン７により冷却される。冷凍用蒸発器６は、プロパン、イソブタン等の可燃性冷媒を充填され機械室５に配置された冷媒回路８に接続されている。
【００２６】
一方、冷蔵室３は、冷蔵用蒸発器９と冷蔵用蒸発器ファン１０により冷却される。冷蔵用蒸発器９は、プロパン、イソブタン等の可燃性冷媒を充填され機械室５に配置された冷媒回路１１に接続されている。
【００２７】
１２は後述する表示手段で、庫内温度や各種異常を表示する。
【００２８】
図２は本発明の実施の形態１による冷蔵庫の冷凍システム図である。本実施の形態１においては、冷凍用と冷蔵用の独立した２つの冷凍システムがあり、冷凍用の冷凍システム図によりその構成を説明する。尚、冷蔵用の冷凍システム図については冷凍用と同構成であり詳細な説明を割愛する。
【００２９】
本実施の形態１は冷媒にプロパン、イソブタン等の可燃性冷媒が用いられ、圧縮機１３から吐出された冷媒は、凝縮器１４、減圧機構１５、蒸発器６の順に通り、再び圧縮機１３に戻る冷凍サイクルを繰り返すことで、蒸発器６において、周囲の空気から蒸発器６のフィンを通して蒸発の潜熱を奪い空気を冷却して冷風とし庫内を冷却する。圧縮機１３、凝縮器１４、減圧機構１５、蒸発器６を環状に接続することにより冷媒回路を構成し、圧縮機１３出口から凝縮器１４を経て減圧機構１５入口までが高圧側冷媒回路１７、減圧機構１５から蒸発器６を経て圧縮機１３入口までが低圧側冷媒回路１８となる。
【００３０】
凝縮器１４と空気の熱交換を促進する凝縮器ファン１６、蒸発器と空気の熱交換を促進する蒸発器ファン７がある。冷却により蒸発器に付着した霜を除去するための除霜手段１９で、除霜ヒーターにより構成される。
【００３１】
凝縮器１４には、冷媒の凝縮温度を検出する凝縮温度検出手段２０である凝縮温度センサーが取り付けられており、また、外気温度を検出する外気温度検出手段２１である外気温度センサーが配置されている。
【００３２】
以上のように構成された実施の形態１の冷蔵庫の動作について、図３の制御ブロック図に基づき説明する。
【００３３】
本実施の形態１においては、冷凍用と冷蔵用の独立した２つの冷凍システムがあるため、制御ブロックにおいても冷凍用と冷蔵用の２つの制御ブロックがあるが、冷凍用の制御ブロックを中心に説明する。
【００３４】
図３において、低圧側冷媒回路異常判定手段２２ａで、凝縮温度検出手段２０ａにより検出した凝縮温度と外気温度検出手段２１ａにより検出した外気温度を入力し、この差温から低圧側冷媒回路が正常か異常かを判定する。即ち、（凝縮温度−外気温度≧所定温度）の関係が成り立つ場合に異常と判定する。本実施の形態１においては所定温度を２０℃に設定する。この所定温度は冷媒特性などを考慮し実験結果により設定したものである。
【００３５】
一般的に、低圧側配管に傷等が生じると、低圧側の圧力が大気圧以下になっていることから空気が進入し凝縮器に滞留する。このため凝縮圧力と凝縮温度が正常時に比べて上昇する。
【００３６】
一方、高圧側冷媒回路異常判定手段２３ａで、凝縮温度検出手段２０ａにより検出した凝縮温度と外気温度検出手段２１ａにより検出した外気温度を入力し、この差温から低圧側冷媒回路が正常か異常かを判定する。即ち、（凝縮温度−外気温度≦所定温度）の関係が成り立つ場合に異常と判定する。本実施の形態１においては所定温度を２℃に設定する。この所定温度は、低圧側異常と同様、冷媒特性などを考慮し実験結果により設定したものである。一般的に、高圧側配管に傷等が生じると、冷媒が漏洩し冷媒循環量が低下する。このため凝縮圧力と凝縮温度が正常時に比べて下降する。
【００３７】
冷凍用冷媒回路異常検出手段２４は、低圧側冷媒回路異常判定手段２２ａと高圧側冷媒
回路異常判定手段２３ａから構成される。
【００３８】
低圧側冷媒回路異常報知手段２５ａは緑色のＬＥＤにより構成され、低圧側冷媒回路異常判定手段２２ａにより低圧異常を判定した場合にＬＥＤを点灯させる。また高圧側冷媒回路異常報知手段２６ａは橙色のＬＥＤにより構成され、高圧側冷媒回路異常判定手段２３ａにより高圧異常を判定した場合にＬＥＤを点灯させる。
【００３９】
冷凍用冷媒回路異常報知手段２７は、低圧側冷媒回路異常報知手段２５ａと高圧側冷媒回路異常報知手段２６ａから構成される。
【００４０】
冷凍用圧縮機制御手段２８は、正常時は、温度センサーからなる冷凍室庫内温度検出手段２９により検出した庫内温度が設定温度になるように、圧縮機１３aの運転／停止を制御する。また除霜制御手段３０ａは正常時は、圧縮機１３ａの運転時間を積算する積算タイマー３１ａが８時間になれば、除霜ヒーターからなる除霜手段１９ａに通電して蒸発器６に付着した霜を除去する。
【００４１】
一方、低圧側冷媒回路異常判定手段２２ａまたは高圧側冷媒回路異常判定手段２３ａにより冷媒回路の異常を検出した場合は、異常信号を冷凍用圧縮機制御手段２８と除霜制御手段３０ａに送る。異常信号を受け取った冷凍用圧縮機制御手段２８は圧縮機１３ａを連続運転に切り替え、除霜制御手段３０ａは除霜を中止する（積算時間が８時間になっても除霜を行わない）。
【００４２】
冷凍食品用音響出力制御手段３２は、低圧側冷媒回路異常判定手段２２ａまたは高圧側冷媒回路異常判定手段２３ａにより冷媒回路の異常を検出し、かつ、冷凍室庫内温度検出手段２９により検出した庫内温度が所定値（本実施の形態では−５℃）を越えた場合、音響出力手段３３に音声信号を送信し「冷凍室の食品を出して下さい」と音声メッセージを出力する。
【００４３】
次に冷蔵用制御ブロックについて説明するが、冷凍用制御ブロックと同構成のものについては同番号を付し（冷凍用と冷蔵用はアルファベットａ、ｂで区別）、詳細な説明は割愛する。
【００４４】
冷蔵用冷媒回路異常検出手段３４は、冷凍用と同様、低圧側冷媒回路異常判定手段２２ｂと高圧側冷媒回路異常判定手段２３ｂから構成される。また、冷蔵用冷媒回路異常報知手段３５は、低圧側冷媒回路異常報知手段２５ｂと高圧側冷媒回路異常報知手段２６ｂから構成される。
【００４５】
冷蔵用圧縮機制御手段３６は、正常時は、温度センサーからなる冷蔵室庫内温度検出手段３７により検出した庫内温度が設定温度になるように、圧縮機１３ｂの運転／停止を制御する。
【００４６】
一方、低圧側冷媒回路異常判定手段２２ｂまたは高圧側冷媒回路異常判定手段２３ｂにより冷媒回路の異常を検出した場合は、異常信号を冷蔵用圧縮機制御手段３６と除霜制御手段３０ｂに送る。異常信号を受け取った冷蔵用圧縮機制御手段３６は圧縮機１３ｂを断続運転に切り替え、除霜制御手段３０ｂは除霜を中止する（積算時間が８時間になっても除霜を行わない）。
【００４７】
また、冷蔵食品用音響出力制御手段３８は、低圧側冷媒回路異常判定手段２２ｂまたは高圧側冷媒回路異常判定手段２３ｂにより冷媒回路の異常を検出し、かつ、冷蔵室庫内温度検出手段３７により検出した庫内温度が所定値（本実施の形態では２０℃）を越えた場
合、音響出力手段３３に音声信号を送信し「冷蔵室の食品を出して下さい」と音声メッセージを出力する。
【００４８】
次に、本発明の形態１における表示手段１２の構成について、図４を用いて説明する。
【００４９】
表示手段１２は、図示するように左側が冷凍室関係、右側が冷蔵室関係と区分けされて表示する構成になっており、左側の冷凍室関係の表示を中心に説明する。
【００５０】
冷凍室庫内温度を表示するデジタル表示器３９ａとその横には冷媒回路異常報知手段２７が配置されている。冷媒回路異常報知手段２７は緑色のＬＥＤにより構成された冷凍用の低圧側冷媒回路異常報知手段２５ａと、橙色のＬＥＤにより構成された冷凍用の高圧側冷媒回路異常報知手段２６ａとを有し、この色違いの２つのＬＥＤを上下の位置に配置し構成している。
【００５１】
右側の冷蔵室関係の表示についても冷凍室関係の表示と同様の構成になっており、詳細な説明は省略する。３３は音声メッセージを出力する音響出力手段で、スピーカーにより構成されている。
【００５２】
以上のように本実施の形態の冷蔵庫は、凝縮温度検出手段２０により検出された冷媒の凝縮温度と外気温度検出手段２１により検出された外気温度との差温が所定値以下（２℃）の場合に冷媒回路異常と判定する高圧側冷媒回路異常判定手段２３ａ、２３ｂとを備えるものであるから、凝縮温度と外気温度の差温から冷媒回路の異常を判定するという比較的安価で容易な構成により冷媒漏洩等の異常を検出することができる。
【００５３】
また、凝縮温度と外気温度の差温が所定値（２０℃）以上の場合に低圧側冷媒回路異常と判定する低圧側冷媒回路異常判定手段２２ａ、２２ｂと、凝縮温度と外気温度の差温が所定値（２℃）以下の場合に高圧側冷媒回路異常と判定する高圧側冷媒回路異常判定手段２３ａ、２３ｂとを備えるものであるから、凝縮温度と外気温度から高圧側冷媒回路及び低圧側冷媒回路の異常を判定するという比較的安価で容易な構成により冷媒漏洩等の異常を検出することができる。
【００５４】
また、低圧側冷媒回路の異常を判定した場合に異常を報知する低圧側冷媒回路異常報知手段２５ａ、２５ｂと、高圧側冷媒回路の異常を判定した場合に異常を報知する高圧側冷媒回路異常報知手段２６ａ、２６ｂとを備えるものであるから、異常時の修理の際、低圧側冷媒回路の異常か、高圧側冷媒回路の異常かを判断できるので修理の効率が良い。
【００５５】
また、低圧側冷媒回路異常報知手段２５ａ、２５ｂは緑色のＬＥＤで構成され、一方、高圧側冷媒回路異常報知手段２６ａ、２６ｂは橙色のＬＥＤで構成されるものであるから、異常時の修理の際、低圧側冷媒回路の異常か、高圧側冷媒回路の異常かを瞬時に判断できる。
【００５６】
また、低圧側冷媒回路異常報知手段２５ａ、２５ｂのＬＥＤと、冷媒回路異常報知手段２６ａ、２６ｂのＬＥＤを上下に離して配置するように構成するものであるから、異常時の修理の際、低圧側冷媒回路の異常か、高圧側冷媒回路の異常かを瞬時に判断できる。
【００５７】
また、冷凍用の冷媒回路の異常を判定した場合は圧縮機１３ａを連続運転し、除霜手段１９ａによる除霜を停止するものであるから、修理までの暫くの間、冷凍室庫内温度の上昇を極力抑え、貯蔵物の鮮度劣化を少なくできる。
【００５８】
また、冷凍用の冷媒回路と冷蔵用の冷媒回路を有し、冷凍用の冷媒回路の異常を検出し
た場合は冷凍用圧縮機１３ａを連続運転し、冷蔵用の冷媒回路の異常を検出した場合は冷蔵用圧縮機１３ｂを断続運転するものであるから、修理までの暫くの間、冷凍室、冷蔵室両方の庫内温度の上昇を極力抑えるとともに冷蔵室の庫内温度が過剰に低くならないようにして、貯蔵物の鮮度劣化を少なくできる。
【００５９】
また、冷凍室庫内の温度を検出する冷凍室庫内温度検出手段２９と、音声を出力する音響出力手段３３を有し、冷媒回路の異常時に庫内温度が所定値（−５℃）以上に上昇した場合、「冷凍室の食品を出して下さい」との音声メッセージを出力するものであるから、冷凍室庫内温度が貯蔵物の鮮度を維持できない温度まで上昇したことを使用者に告知できる。尚、本実施の形態においては音声メッセージを出力する構成としたが、単に警告を発するためのブザー音を出力する構成としても同様の効果が得られる。
【００６０】
また、冷凍用の冷媒回路と冷蔵用の冷媒回路を有し、冷凍室の所定値（−５℃）を冷蔵室の所定値（２０℃）よりも低い温度としたものであるから、冷凍室庫内温度または冷蔵室庫内温度が貯蔵物の鮮度を維持できない温度まで上昇したことを使用者に告知できる。
【００６１】
また、冷凍用の冷媒回路と冷蔵用の冷媒回路を有し、冷凍用冷媒回路の異常を検出した場合に異常を報知する冷凍用冷媒回路異常報知手段２７と、冷蔵用冷媒回路の異常を検出した場合に異常を報知する冷蔵用冷媒回路異常報知手段３５とにより構成されるものであるから、異常時の修理の際、冷凍用冷媒回路の異常か、冷蔵用冷媒回路の異常かを判断できるので修理の効率が良い。
【産業上の利用可能性】
【００６２】
以上のように本発明の冷蔵庫は、凝縮温度と外気温度の差温から冷媒回路の異常を判定するという比較的安価で容易な構成により冷媒漏洩等の異常を検出することができ、冷蔵庫だけでなく可燃性冷媒を用いた冷凍サイクルを備えた冷凍空調機器全般に幅広く応用することができる。
【図面の簡単な説明】
【００６３】
【図１】本発明の実施の形態１による冷蔵庫の正面図と断面図
【図２】本発明の実施の形態１による冷蔵庫の冷凍システム図
【図３】本発明の実施の形態１による冷蔵庫の制御ブロック図
【図４】本発明の実施の形態１による冷蔵庫の表示構成図
【図５】従来の冷蔵庫の冷凍システム図
【符号の説明】
【００６４】
１    冷蔵庫
２    冷凍室
３    冷蔵室
６    蒸発器
１３    圧縮機
１４    凝縮器
１５    減圧機構
１９    除霜手段
２０    凝縮温度検出手段
２１    外気温度検出手段
２２    低圧側冷媒回路異常判定手段
２３    高圧側冷媒回路異常判定手段
２４    冷凍用冷媒回路異常検出手段
２５    低圧側冷媒回路異常報知手段
２６    高圧側冷媒回路異常報知手段
２７    冷凍用冷媒回路異常報知手段
３４    冷蔵用冷媒回路異常検出手段
３５    冷蔵用冷媒回路異常報知手段
２９、３７    庫内温度検出手段
３３    音響出力手段
【図１】
2005140409.tif 000003
【図２】
2005140409.tif 000004
【図３】
2005140409.tif 000005
【図４】
2005140409.tif 000006
【図５】
2005140409.tif 000007